(57)【要約】【課題】使用しない時は、電源コンセントへ挿入する刃部をケース内に収納して保護し、小型化できて収納や携帯に便利な電源アダプタを提供すること。【解決手段】アダプタ本体１と、アダプタ本体１から延びる電源コード３とから成る。アダプタ本体１は、ケースを構成する左殻体１１及び右殻体１２と、ケース内に設置されて、電流・電圧の変換又は充電を行う電子部材１８と、ケースから出没し、電源コンセントに接続可能な刃部１５と、刃部１５を案内するガイド部１６と、刃部１５の出没操作を行う押しボタン１３を備える。導電片１７が刃部１５の下面に接触し、刃部１５は導電片１７及びワイヤ１７１を介して電子部材１８に電気的に接続されている。【選択図】図２
0003125335.tif 000002
【実用新案登録請求の範囲】
【請求項１】
アダプタ本体と、該アダプタ本体から延びる電源コードとから成り、前記アダプタ本体は、接合されてケースを形成する左殻体及び右殻体と、前記ケース内に設置されて、電流・電圧の変換又は充電を行う電子部材と、電子部材にワイヤを介して接続された導電片と、前記ケースの前壁に形成された開口部を通して出没し、電源コンセントに接続可能な２本の刃部と、該刃部を案内するガイド部と、前記刃部の出没操作を行う押しボタンとを備え、前記ケースの天板に前記刃部の移動方向と平行なスリットを形成し、該スリットに前記押しボタンを摺動及び上下動可能に係合し、前記押しボタンの操作ボタン部がケース外部に露出すると共に押しボタンの下部がケース内部に収納され、前記スリットの前後端部においてケースの天板裏面に、前記押しボタンが上昇した時その下部と係合して位置決めする位置決め凹部をそれぞれ形成し、前記刃部の後端部は接続体に固定され、該接続体の上面にボタン係合凹部が形成され、該ボタン係合凹部に前記押しボタンの下部が、前記押しボタンを上方へ付勢する弾性部材を介して係合され、前記ガイド部は、前記スリットと平行に延びるガイド板、該ガイド板の両側に張り出した翼片、及び、前記ガイド板の前後端部に設置されたストッパを有し、前記ガイド板に前記接続体が前記ストッパにより規制される範囲内で摺動自在に係合し、前記翼片の先端部を前記ケース内部において前記左殻体及び右殻体に形成された挿入穴へそれぞれ嵌合し、前記翼片の上面に前記導電片を設置し、該導電片は上方に凸に湾曲した弾性板であって、前記刃部の下面に恒常的に接触し、前記刃部は前記導電片及びワイヤを介して前記電子部材に電気的に接続されていることを特徴とした電源アダプタ。
【請求項２】
前記電源コードの巻き取り・巻き戻しを行うコードリールを設けた請求項１に記載の電源アダプタ。
【請求項３】
前記アダプタ本体にコード接続口を形成すると共に、前記電源コードの一端に、前記コード接続口へ着脱自在に接続される接続プラグを設けて、前記アダプタ本体と電源コードを分離可能とした請求項１に記載の電源アダプタ。
【請求項４】
前記アダプタ本体にコード接続口を形成し、前記電源コードの端部において、前記コードリールを挟んで前記アダプタ本体側に、前記コード接続口へ着脱自在に接続される接続プラグを設け、前記アダプタ本体と電源コードを分離可能とした請求項２に記載の電源アダプタ。
【考案の詳細な説明】
【技術分野】
【０００１】
本考案は、ノートブック型コンピュータ等の電気機器に用いる電源アダプタに関する。
【背景技術】
【０００２】
現在、最も代表的なノートブック型コンピュータの電源アダプタは、図６に示すように、アダプタ本体Ａ１の両側に電源コードＡ２を延長し、各電源コードＡ２の先端にそれぞれ電源コンセントへ接続するプラグＡ２１及びコンピュータへ接続するプラグＡ２２を設けて成る。
上記従来の電源アダプタは、プラグＡ２１の硬質な栓刃が突出しているため、嵩張って収納や携帯に不便であるばかりか、圧力を受けて栓刃が変形したり、収納中に栓刃が他の物品を傷つける心配がある。また、長い電源コードＡ２が延びているので、絡まりやすく、体積が増えて収納や携帯の邪魔になる。
アダプタ本体から電源コンセント用の栓刃を直接突出したものもあるが、たんに電源コンセントへ接続するためのコードがなくなっただけであって、このような不具合を解消するには不十分である。
【考案の開示】
【考案が解決しようとする課題】
【０００３】
本考案が解決しようとする課題は、使用しない時は、電源コンセントへ挿入する刃部をケースに収納して保護することが可能であり、小型化できて収納や携帯に便利な電源アダプタを提供することにある。
【課題を解決するための手段】
【０００４】
本考案の電源アダプタは、アダプタ本体と、該アダプタ本体から延びる電源コードと、該電源コードの巻き取り・巻き戻しを行うコードリールとから成り、前記アダプタ本体は、接合されてケースを形成する左殻体及び右殻体と、前記ケース内に設置されて、電流・電圧の変換又は充電を行う電子部材と、電子部材にワイヤを介して接続された導電片と、前記ケースの前壁に形成された開口部を通して出没し、電源コンセントに接続可能な２本の刃部と、該刃部を案内するガイド部と、前記刃部の出没操作を行う押しボタンとを備え、前記ケースの天板に前記刃部の移動方向と平行なスリットを形成し、該スリットに前記押しボタンを摺動及び上下動可能に係合し、前記押しボタンの操作ボタン部がケース外部に露出すると共に押しボタンの下部がケース内部に収納され、前記スリットの前後端部においてケースの天板裏面に、前記押しボタンが上昇した時その下部と係合して位置決めする位置決め凹部をそれぞれ形成し、前記刃部の後端部は接続体に固定され、該接続体の上面にボタン係合凹部が形成され、該ボタン係合凹部に前記押しボタンの下部が、前記押しボタンを上方へ付勢する弾性部材を介して係合され、前記ガイド部は、前記スリットと平行に延びるガイド板、該ガイド板の両側に張り出した翼片、及び、前記ガイド板の前後端部に設置されたストッパを有し、前記ガイド板に前記接続体が前記ストッパにより規制される範囲内で摺動自在に係合し、前記翼片の先端部を前記ケース内部において前記左殻体及び右殻体に形成された挿入穴へそれぞれ嵌合し、前記翼片の上面に前記導電片を設置し、該導電片は上方に凸に湾曲した弾性板であって、前記刃部の下面に恒常的に接触し、前記刃部は前記導電片及びワイヤを介して前記電子部材に電気的に接続されている。
【０００５】
前記電源コードの巻き取り・巻き戻しを行うコードリールを設けると良い。
前記アダプタ本体にコード接続口を形成すると共に、前記電源コードの一端に、前記コード接続口へ着脱自在に接続される接続プラグを設けて、前記アダプタ本体と電源コードを分離可能としても良い。
コードリールを設けた場合は、前記アダプタ本体にコード接続口を形成し、前記電源コードの端部において、前記コードリールを挟んで前記アダプタ本体側に、前記コード接続口へ着脱自在に接続される接続プラグを設け、前記アダプタ本体と電源コードを分離可能としても良い。
【考案の効果】
【０００６】
請求項１に係る考案によれば、押しボタンを操作するだけで、電源コンセントと接続する時は刃部をケースから突出させ、使用しないと時はケース内に没入させることができるので、狭いスペースでも収納可能であり、収納時に突出した刃部で他の物品を傷つける心配も無く、収納及び携帯に便利である。
請求項２に係る考案によれば、電源コードをコードリールで巻き取って適当な長さに調節できるので、無用に長い電源コードが使用時に邪魔にならず、電源コードを完全に巻き取ることにより収納・携帯がいっそう容易となる。
請求項３及び４に係る考案によれば、収納スペース等に合わせて、アダプタ本体と、電源コード及びコードリールとを分離することができる。
【考案を実施するための最良の形態】
【０００７】
本考案の電源アダプタは、ノートブック型コンピュータ等の電気機器と電源コンセントとの間に介在されて、電流・電圧の変換、又は、充電を行うものであって、アダプタ本体と、アダプタ本体から延びる電源コードとから成る。
アダプタ本体は、接合されてケースを構成する左殻体及び右殻体と、ケース内に設置されて、電流・電圧の変換又は充電を行う電子部材と、電子部材にワイヤを介して接続された導電片と、ケースの前壁に形成された開口部を通して出没し、電源コンセントに接続可能な２本の刃部と、刃部を案内するガイド部と、刃部の出没操作を行う押しボタンとを備える。
導電片は刃部の下面に恒常的に接触し、刃部は導電片及びワイヤを介して電子部材に電気的に接続されている。
以下、本考案の実施例を図面に基づいて詳細に説明する。
【実施例１】
【０００８】
図１〜図４は、本考案の実施例１を示す。
電源アダプタは、図１に示すように、アダプタ本体１と、コードリール２と、アダプタ本体１から延びてノートブック型コンピュータ等の電気機器に接続される電源コード３とから成る。
コードリール２は、従来公知の構造を有し、電源コード３を巻き取ったり、適宜長さに巻き戻すことができる。
【０００９】
アダプタ本体１は、図２に示すように、接合されてケースを形成する左殻体１１及び右殻体１２と、ケース内に設置された電子部材１８と、電子部材１８に接続された導電片１７と、ケースから出没し、電源コンセントに接続される２本の刃部１５及び刃部１５の出没を案内するガイド部１６を有するプラグ部１０と、刃部１５の出没操作を行う押しボタン１３とを備える。
左殻体１１及び右殻体１２の天板の前端部寄りには、互いの接続縁に沿って凹溝１１１，１２１が形成され、図１に示すように、凹溝１１１，１２１が対向して刃部１５の移動方向と平行なスリットが形成されている。
そして、このスリットに押しボタン１３が摺動自在に係合し、押しボタン１３の操作ボタン部１３１がケースの外部に露出すると共に、押しボタン１３の下部がケース内に収納されている。
【００１０】
プラグ部１０の刃部１５は、図２に示すように、左殻体１１及び右殻体１２の前壁上部に形成された開口部１１０を通して出没できるようになっている。
また、刃部１５の後端は接続体１５１の両側部に固定されている。接続体１５１の上面にはボタン係合凹部１５２が形成され、ボタン係合凹部１５２に押しボタン１３の下端が弾性部材１４を介して係合されている。
弾性部材１４は押しボタン１３を上方へ向けて付勢しており、常態においては押しボタン１３の下部がケースの天板裏面に押付けられる。
【００１１】
凹溝１１１，１２１の前後端部において、ケースの天板裏面にはそれぞれ位置決め凹部１１０−４，１１０−３が形成されている。
そして、押しボタン１３の下部が位置決め凹部１１０−４，１１０−３と一致した状態で操作ボタン部１３１を解放すると、弾性部材１４で上方へ押された押しボタン１３の下部が位置決め凹部１１０−４，１１０−３と係合し、押しボタン１３はその位置で位置決めされる。
一方、操作ボタン部１３１を下方へ押圧すると、押しボタン１３の下部が位置決め凹部１１０−４，１１０−３から脱出するので、押しボタン１３を凹溝１１１，１２１に沿ってスライドさせることができる。
さらに、押しボタン１３を左殻体１１及び右殻体１２の前端部方向へ摺動させると、刃部１５が開口部１１０から突出し、押しボタン１３を後方へ摺動させると刃部１５がケース内に収納される。
【００１２】
刃部１５の出没はガイド部１６によって案内される。ガイド部１６は凹溝１１１，１２１（スリット）と平行に延びるガイド板１６１を有し、接続体１５１の下面に形成されたブリッジ凹部１５３がガイド板１６１に摺動自在に係合している。
ガイド板１６１の両側には翼片１６２が張り出し、前後端部には接続体１５１の摺動を規制するストッパ１６３，１６４がそれぞれ設けられる。また、翼片１６２の上面には、ガイド板１６１の側縁と平行に、且つ、やや間隔をあけて位置決め突条１６２１が形成されている。
そして、両側の翼片１６２の上面において、位置決め突条１６２１とガイド板１６１との間にはそれぞれ導電片１７が係合されて位置決めされ、導電片１７の上を刃部１５が通過するようになっている。
【００１３】
左殻体１１及び右殻体１２の凹溝１１１，１２１の下方には、対向する面が開口した挿入穴１１０−１がそれぞれ形成され、挿入穴１１０−１へ両側の翼片１６２の先端部を差し込むことにより、ガイド部１６がケース内に設置される。
ガイド板１６１の前端部に設けたストッパ１６３は、ケースの開口部１１０に嵌合され、後端部に設けたストッパ１６４は、挿入穴１１０−１の後方に形成した嵌合凹部１１０−２へ係合され、ガイド部１６は安定して取り付けられる。
【００１４】
導電片１７は、上方へ凸に湾曲した弾性板より成り、電流・電圧の変換、又は、充電を行う電子部材１８にワイヤ１７１を介して接続されている。
また、導電片１７は、その弾性により恒常的に刃部１５の下面に圧接され、この結果、刃部１５はスライドしても常に導電片１７及びワイヤ１７１を介して電子部材１８と電気的に接続される。
【００１５】
アダプタ本体１を電源コンセントに接続するときは、操作ボタン部１３１を押し下げてから前方（開口部１１０の方向）へスライドさせる。
すると、押しボタン１３の下部が後方の位置決め凹部１１０−３を脱出して移動し、図４に示すように、押しボタン１３の下部に係合した接続体１５１が押しボタン１３に連動して前方へスライドし、接続体１５１に固定された刃部１５が開口部１１０を通してケース外へ突出する。ここで操作ボタン部１３１を解放すると、弾性部材１４に付勢されて押しボタン１３の下部が前方の位置決め凹部１１０−４に係合され、刃部１５は位置決めされる。
【００１６】
アダプタ本体１を電源コンセントから取り外した場合は、操作ボタン部１３１を押し下げて後方へスライドさせる。これにより、押しボタン１３の下部は前方の位置決め凹部１１０−４を脱出して移動し、図３に示すように、接続体１５１が押しボタン１３に連動して後方へスライドし、接続体１５１に固定された刃部１５がケース内に没入する。この位置で操作ボタン部１３１を解放すると、押しボタン１３の下部は後方の位置決め凹部１１０−３に係合され、刃部１５は位置決めされる。
また、電子部材１８によって変換された電源を電気機器に供給する電源コード３は、コードリール２によって巻き取り、小型化することができる。
【実施例２】
【００１７】
図５は、本考案の実施例２を示す。
アダプタ本体１にコード接続口１００を設け、電源コード３の端部において、コードリール２を挟んでアダプタ本体１側に、コード接続口１００へ着脱自在に接続される接続プラグ２１を装着してある。
従って、電源アダプタを使用しない時は、接続プラグ２１をコード接続口１００から抜き、電源コード３とアダプタ本体１とを分離して収納及び携帯することができる。
その他の構成及び使用方法は、実施例１と同様である。
【００１８】
なお、上記実施例では、長い電源コード３が邪魔にならないようコードリール２を設けたが、電源コード３がそれほど長くない場合等には、かえってコードリール２が嵩張って目立つため、コードリール２を設けないこともある。
また、この時、アダプタ本体１にコード接続口１００を設け、電源コード３の一端にコード接続口１００へ着脱自在に接続される接続プラグ２１を装着して、電源コード３とアダプタ本体１とを分離できるようにすることも可能である。
【図面の簡単な説明】
【００１９】
【図１】実施例１を示す電源アダプタの斜視図。
【図２】実施例１に係るアダプタ本体の分解斜視図。
【図３】実施例１に係るアダプタ本体の刃部収納時の要部断面図。
【図４】実施例１に係るアダプタ本体の刃部突出時の要部断面図。
【図５】実施例２を示す電源アダプタの斜視図。
【図６】従来の電源アダプタの斜視図。
【符号の説明】
【００２０】
１  アダプタ本体
２  コードリール
３  電源コード
１０  プラグ部
１１  左殻体
１１０  開口部
１１０−１  挿入穴
１１０−２  嵌合凹部
１１０−３，１１０−４  位置決め凹部
１１１  凹溝
１２  右殻体
１２１  凹溝
１３  押しボタン
１３１  操作ボタン部
１４  弾性部材
１５  刃部
１５１  接続体
１５２  ボタン係合凹部
１５３  ブリッジ凹部
１６  ガイド部
１６１  ガイド板
１６２  翼片
１６２１  位置決め突条
１６３，１６４  ストッパ
１７  導電片
１７１  ワイヤ
１８  電子部材
２１  接続プラグ
１００  コード接続口
【図１】
0003125335.tif 000003
【図２】
0003125335.tif 000004
【図３】
0003125335.tif 000005
【図４】
0003125335.tif 000006
【図５】
0003125335.tif 000007
【図６】
0003125335.tif 000008